(57)【特許請求の範囲】
【請求項１】
筒状の本体部と、
前記本体部の内側に回転可能に保持され、円筒状の可撓性チューブを積層して収容する管状のパッケージ収容手段と、
前記パッケージ収容手段の上端部から内面部の下方に向かって前記可撓性チューブを送り出した状態において、前記可撓性チューブを通過させる開口を有する弾性保持膜と、
を備え、
前記弾性保持膜は、前記開口の外側から内側に向かって延在し、前記開口の中心軸まわりに回転しないように固定される弾性部材を含み、
おむつを前記可撓性チューブ内において下方に押し進めた後に、前記パッケージ収容手段を前記本体部に対して回転させて前記可撓性チューブを捩じることにより、おむつパッケージが順次形成され、
前記おむつパッケージを押し進めた際に、前記弾性保持膜の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、おむつ処理器。
【請求項２】
筒状の本体部と、
前記本体部の内側に回転可能に保持され、円筒状の可撓性チューブを積層して収容する管状のパッケージ収容手段と、
前記パッケージ収容手段の上端部から内面部の下方に向かって前記可撓性チューブを送り出した状態において、前記可撓性チューブを通過させる開口を有する弾性保持膜と、
を備え、
前記弾性保持膜は、前記開口の下方に向かって延在し、前記開口の中心軸まわりに回転しないように固定される弾性部材を含み、
おむつを前記可撓性チューブ内において下方に押し進めた後に、前記パッケージ収容手段を前記本体部に対して回転させて前記可撓性チューブを捩じることにより、おむつパッケージが順次形成され、
前記おむつパッケージを押し進めた際に、前記弾性保持膜の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、おむつ処理器。
【請求項３】
筒状の本体部と、
前記本体部の内側に回転可能に保持され、円筒状の可撓性チューブを積層して収容する管状のパッケージ収容手段と、
前記パッケージ収容手段の上端部から内面部の下方に向かって前記可撓性チューブを送り出した状態において、前記可撓性チューブを通過させる開口を有する弾性保持膜と、
を備え、
前記弾性保持膜は、前記開口の中心軸まわりに回転しないように固定され、
おむつを前記可撓性チューブ内において下方に押し進めた後に、前記パッケージ収容手段を前記本体部に対して回転させて前記可撓性チューブを捩じることにより、おむつパッケージが順次形成され、
前記おむつパッケージを押し進めた際に、前記弾性保持膜の前記開口が前記おむつパッケージにより外側へ向けて押し広げられることにより前記弾性保持膜が弾性変形し、前記弾性保持膜による前記おむつパッケージに対する保持力が高められて、前記おむつパッケージの回転が防止される、おむつ処理器。
【請求項４】
おむつパッケージを順次形成するためのおむつ処理器であって、
円筒状の可撓性チューブを積層して収容する管状のパッケージ収容手段と、
前記パッケージ収容手段を回転可能に支持する本体部と、
前記パッケージ収容手段の上端部から下方に向かって送り出された前記可撓性チューブを通過させる開口を有する弾性保持膜と、を備え、
前記弾性保持膜は、前記開口の外側から内側に向かって延在し、前記開口の中心軸まわりに回転しないように固定される弾性部材を含み、
おむつを前記可撓性チューブ内において下方に押し進めた後に、前記パッケージ収容手段を前記本体部に対して回転させて前記可撓性チューブを捩じることにより、前記おむつパッケージが順次形成され、
前記弾性部材は、前記おむつが前記可撓性チューブ内において下方に押し進められることによって前記開口を通過する際には、前記おむつとともに前記おむつパッケージを形成しつつある前記可撓性チューブの外面に沿って変形し、
前記可撓性チューブを捩じることにより前記おむつパッケージを形成する際には、前記弾性部材が前記おむつとともに前記おむつパッケージを形成しつつある前記可撓性チューブの外面に当接していることによって、前記おむつとともに前記おむつパッケージを形成しつつある前記可撓性チューブの回転が防止され、
形成された前記おむつパッケージの外面に対して前記弾性部材が当接していることによって、前記おむつパッケージの捩じり部が開放されることが防止される、おむつ処理器。
【請求項５】
おむつパッケージを順次形成するためのおむつ処理器であって、
円筒状の可撓性チューブを積層して収容する管状のパッケージ収容手段と、
前記パッケージ収容手段を回転可能に支持する本体部と、
前記パッケージ収容手段の上端部から下方に向かって送り出された前記可撓性チューブを通過させる開口を有する弾性保持膜と、を備え、
前記弾性保持膜は、前記開口の下方に向かって延在し、前記開口の中心軸まわりに回転しないように固定される弾性部材を含み、
おむつを前記可撓性チューブ内において下方に押し進めた後に、前記パッケージ収容手段を前記本体部に対して回転させて前記可撓性チューブを捩じることにより、前記おむつパッケージが順次形成され、
前記弾性部材は、前記おむつが前記可撓性チューブ内において下方に押し進められることによって前記開口を通過する際には、前記おむつとともに前記おむつパッケージを形成しつつある前記可撓性チューブの外面に沿って変形し、
前記可撓性チューブを捩じることにより前記おむつパッケージを形成する際には、前記弾性部材が前記おむつとともに前記おむつパッケージを形成しつつある前記可撓性チューブの外面に当接していることによって、前記おむつとともに前記おむつパッケージを形成しつつある前記可撓性チューブの回転が防止され、
形成された前記おむつパッケージの外面に対して前記弾性部材が当接していることによって、前記おむつパッケージの捩じり部が開放されることが防止される、おむつ処理器。
【請求項６】
おむつパッケージを順次形成するためのおむつ処理器であって、
円筒状の可撓性チューブを積層して収容する管状のパッケージ収容手段と、
前記パッケージ収容手段を回転可能に支持する本体部と、
前記パッケージ収容手段の上端部から下方に向かって送り出された前記可撓性チューブを通過させる開口を有する弾性保持膜と、を備え、
前記弾性保持膜は、前記開口の中心軸まわりに回転しないように固定され、
おむつを前記可撓性チューブ内において下方に押し進めた後に、前記パッケージ収容手段を前記本体部に対して回転させて前記可撓性チューブを捩じることにより、前記おむつパッケージが順次形成され、
前記弾性保持膜は、前記おむつが前記可撓性チューブ内において下方に押し進められることによって前記開口を通過する際には、前記おむつとともに前記おむつパッケージを形成しつつある前記可撓性チューブの外面に沿って変形し、
前記可撓性チューブを捩じることにより前記おむつパッケージを形成する際には、前記弾性保持膜が前記おむつとともに前記おむつパッケージを形成しつつある前記可撓性チューブの外面に当接していることによって、前記おむつとともに前記おむつパッケージを形成しつつある前記可撓性チューブの回転が防止され、
形成された前記おむつパッケージの外面に対して前記弾性保持膜が当接していることによって、前記おむつパッケージの捩じり部が開放されることが防止される、おむつ処理器。
【請求項７】
請求項１から６のいずれかに記載の前記おむつ処理器に前記パッケージ収容手段として備えられる、
おむつ処理器用パック。
【請求項８】
おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用される弾性保持膜であって、
当該弾性保持膜は、前記おむつ処理器の内部において前記可撓性チューブを通過させる開口を有し、
前記弾性保持膜は、前記開口の外側から内側に向かって延在し、前記開口の中心軸まわりに回転しないように固定される弾性部材を含み、
前記おむつパッケージを押し進めた際に、前記弾性保持膜の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、弾性保持膜。
【請求項９】
おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用される弾性保持膜であって、
当該弾性保持膜は、前記おむつ処理器の内部において前記可撓性チューブを通過させる開口を有し、
前記弾性保持膜は、前記開口の下方に向かって延在し、前記開口の中心軸まわりに回転しないように固定される弾性部材を含み、
前記おむつパッケージを押し進めた際に、前記弾性部材の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、弾性保持膜。
【請求項１０】
おむつ処理器の内部に設けられた円筒状の可撓性チューブの内部において、前記おむつ処理器の下方に向けておむつを押し進めた後に、前記可撓性チューブを回転させて前記可撓性チューブを捩じることにより、おむつパッケージが順次形成されるおむつ処理器に採用される弾性保持膜であって、
当該弾性保持膜は、前記おむつ処理器の内部において前記可撓性チューブを通過させる開口を有し、
前記弾性保持膜は、前記開口の中心軸まわりに回転しないように固定され、
前記おむつパッケージを押し進めた際に、前記弾性保持膜の前記開口が前記おむつパッケージにより外側へ向けて押し広げられることにより前記弾性保持膜が弾性変形し、前記弾性保持膜による前記おむつパッケージに対する保持力が高められて、前記おむつパッケージの回転が防止される、弾性保持膜。
【請求項１１】
おむつ処理器の内部に設けられた円筒状の可撓性チューブの内部において、前記おむつ処理器の下方に向けておむつを押し進めた後に、前記可撓性チューブを回転させて前記可
撓性チューブを捩じることにより、おむつパッケージが順次形成されるおむつ処理器に採用されるおむつパッケージの回転防止構造であって、
前記おむつ処理器の内部には、前記おむつ処理器の内部において前記可撓性チューブを通過させる開口を有する弾性保持膜が設けられ、
前記弾性保持膜は、前記開口の外側から内側に向かって延在し、前記開口の中心軸まわりに回転しないように固定される弾性部材を含み、
前記おむつパッケージを押し進めた際に、前記弾性保持膜の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、おむつパッケージの回転防止構造。
【請求項１２】
おむつ処理器の内部に設けられた円筒状の可撓性チューブの内部において、前記おむつ処理器の下方に向けておむつを押し進めた後に、前記可撓性チューブを回転させて前記可
撓性チューブを捩じることにより、おむつパッケージが順次形成されるおむつ処理器に採用されるおむつパッケージの回転防止構造であって、
前記おむつ処理器の内部には、前記おむつ処理器の内部において前記可撓性チューブを通過させる開口を有する弾性保持膜が設けられ、
前記弾性保持膜は、前記開口の下方に向かって延在し、前記開口の中心軸まわりに回転しないように固定される弾性部材を含み、
前記おむつパッケージを押し進めた際に、前記弾性保持膜の前記開口が前記おむつパッケージにより外側へ向けて押し広げられることにより前記弾性部材が弾性変形し、前記弾性部材による前記おむつパッケージに対する保持力が高められて、前記おむつパッケージの回転が防止される、おむつパッケージの回転防止構造。
【請求項１３】
おむつ処理器の内部に設けられた円筒状の可撓性チューブの内部において、前記おむつ処理器の下方に向けておむつを押し進めた後に、前記可撓性チューブを回転させて前記可
撓性チューブを捩じることにより、おむつパッケージが順次形成されるおむつ処理器に採用されるおむつパッケージの回転防止構造であって、
前記おむつ処理器の内部には、前記おむつ処理器の内部において前記可撓性チューブを通過させる開口を有する弾性保持膜が設けられ、
前記弾性保持膜は、前記開口の中心軸まわりに回転しないように固定され、
前記おむつパッケージを押し進めた際に、前記弾性保持膜の前記開口が前記おむつパッケージにより外側へ向けて押し広げられることにより前記弾性保持膜が弾性変形し、前記弾性保持膜による前記おむつパッケージに対する保持力が高められて、前記おむつパッケージの回転が防止される、おむつパッケージの回転防止構造。
【発明の詳細な説明】
【技術分野】
【０００１】
この発明は、おむつ処理器に関し、より特定的には、おむつのパッケージ処理を確実に行なうことのできるおむつ処理器、おむつ処理器用パック、弾性保持膜、および、おむつパッケージの回転防止構造の構造に関する。
【背景技術】
【０００２】
以下、図４を参照して、特開平１−１２６６０１号公報（特許文献１）に開示されたおむつ処理器の構造について簡単に説明する。このおむつ処理器１００Ｂは、本体部としてのコンテナ１を有し、このコンテナ１の内部には、内部フランジ２と、この内部フランジ２の内側から上方に延びるように設けられる筒状のシリンダ３とを備える。
【０００３】
シリンダ３とコンテナ１とにより囲まれた環状領域には、管状コアからなるパッケージ収容手段としてのパック４が回転可能な状態で配置されている。このパック４には、円筒状の可撓性チューブ５がその全長の周囲にわたって充分折りたたまれた状態で収容されている。可撓性チューブ５は、パック４の上端部から外部に引き出し可能に設けられ、引出した可撓性チューブ５をシリンダ３の内面部において下方に向かって送り出すことが可能である。
【０００４】
パック４の上部には、パック４をコンテナ１に対して回転させるため、中央に開口部を有する回転グリップ６が設けられている。
【０００５】
内部フランジ２の下面側には、可撓性チューブ５内に収容されたおむつの回転を防止するため可撓性チューブ５に当接する保持部材としての、弾性バネ７が円周上等ピッチで配置されている。
【０００６】
コンテナ１の上端部には、開閉可能な上部蓋８が設けられ、コンテナ１の下上端部には、開閉可能な下部蓋９が設けられている。
【０００７】
上記構成において、可撓性チューブ５の先端部分には、結び目１０が形成される。回転グリップ６を回転させることにより、可撓性チューブ５が捩じられ、この捩じられた領域によりベース領域１１が形成される。おむつを可撓性チューブ５内においてベース領域１１とともに下方に押し進めることにより、おむつを収容した可撓性チューブ５が弾性バネ７によって保持される。その後、再度、回転グリップ６を回転させることにより、おむつを収容したおむつパッケージ１２が形成される。上記作業を順次繰り返すことにより、図４に示すように、おむつパッケージ１２が順次形成され、コンテナ１内の収容領域１３に収容される。
【先行技術文献】
【特許文献】
【０００８】
【特許文献１】特開平１−１２６６０１号公報
【発明の概要】
【発明が解決しようとする課題】
【０００９】
上記構成からなるおむつ処理器１００Ｂにおいて、弾性バネ７によってパッケージ１２が保持されることにより、可撓性チューブ５の捩じりの戻り力に対抗して、可撓性チューブ５の捩じり状態が保持されるようにしている。しかしながら、実際には、弾性バネ７は円周上等ピッチで複数個配置されているだけであるために接触面積が小さく、十分にパッケージ１２を保持することができず、徐々にパッケージ１２が回転し、パッケージ１２の捩じり部が開放してしまう問題が生じている。
【００１０】
したがって、この発明の目的は、パッケージの捩じり部が開放することがない構造を有
するおむつ処理器、おむつ処理器用パック、弾性保持膜、および、おむつパッケージの回転防止構造を提供することにある。
【課題を解決するための手段】
【００１１】
この発明に基いたおむつ処理器においては、筒状部の外周領域に円筒状の可撓性チューブを積層して収容し、上記筒状部の上端部から可撓性チューブを引出すとともに、引出した上記可撓性チューブを、上記筒状部の内面部において下方に向かって送りだすことが可能なパッケージ収容手段と、上記パッケージ収容手段を、上記筒状部の軸を回転中心として回転可能に支持する本体部と、おむつを上記可撓性チューブ内において下方に押し進めた後に、上記パッケージ収容手段を上記本体部に対して回転させて、上記可撓性チューブを捩じることにより、おむつパッケージを順次形成するためのおむつ処理器であって、上記筒状部の内面部に設けられ、上記おむつパッケージの回転を防止するため、上記おむつパッケージに当接する弾性保持膜を備える。
【００１２】
このように、弾性保持膜を設けることにより、おむつパッケージに対して、弾性保持膜が取囲むように当接するため、おむつパッケージとの接触面積を効果的に拡大させることが可能になる。その結果、弾性保持膜によるおむつパッケージの保持力が高まり、おむつパッケージの回転を確実に防止することが可能になる。
【００１３】
また、上記発明において好ましくは、上記弾性保持膜は、上記本体部に固定される。これにより、弾性保持膜自体が回転することなく、おむつパッケージの回転を確実に防止することが可能になる。
【００１４】
また、上記発明において好ましくは、上記弾性保持膜は、上記おむつパッケージを側面側から取囲むように設けられる筒状側壁と、上記筒状側壁の下端部に設けられ、中心部から放射状に延びる複数の切り込み部により開口を形成する底面部とを有する。
【００１５】
このように、上記弾性保持膜に筒状側壁を設けることにより、上述したようにおむつパッケージとの接触面積を効果的に拡大させることが可能になる。また、中心部から放射状に延びる複数の切り込み部により開口を形成する底面部を設けることにより、おむつパッケージの保持状態においては、切り込み部が大きく開いた状態になるが、きり込み部がおむつパッケージに食い込む状態となることによりおむつパッケージの保持状態をさらに高めることが可能となる。
【００１６】
また、上記発明においてさらに好ましくは、上記本体部に設けられ、上記パッケージ収容手段の下方領域において、上記パッケージ収容手段の回転時に、上記可撓性チューブ内に収容されたおむつの回転を防止するため、上記可撓性チューブに当接する保持部材をさらに有する。このように、保持部材をさらに設けることによっても、おむつパッケージの保持状態をさらに高めることが可能となる。
【発明の効果】
【００１７】
この発明に基づいたおむつ処理器、おむつ処理器用パック、弾性保持膜、および、おむつパッケージの回転防止構造によれば、弾性保持膜を設けることにより、おむつパッケージに対して、弾性保持膜が取囲むように当接するため、おむつパッケージとの接触面積を効果的に拡大させることが可能になる。その結果、弾性保持膜によるおむつパッケージの保持力が高まり、おむつパッケージの回転を確実に防止することが可能になる。
【図面の簡単な説明】
【００１８】
【図１】この発明に基づいた実施の形態におけるおむつ処理器１００Ａの頭部領域の構造を示す部分断面図である。
【図２】弾性保持膜５０の側面図である。
【図３】弾性保持膜５０の平面図である。
【図４】従来技術におけるおむつ処理器１００Ｂの構造を示す断面図である。
【発明を実施するための形態】
【００１９】
以下、この発明に基づいたおむつ処理器の実施の形態について、図１を参照しながら説明する。なお、本実施の形態におけるおむつ処理器１００Ａの基本的構成は図４で説明した従来のおむつ処理器１００Ｂと同一の構成を有しているため、同一または相当部分については、同一の参照番号を付して、その詳細な説明は省略する。なお、図１は、おむつ処理器１００Ａの頭部領域の構造を示す部分断面図である。
【００２０】
本実施の形態におけるおむつ処理器１００Ａの特徴的構成としては、図１に示すように、シリンダ３の内面部分に、弾性保持膜５０を設けるようにした点にある。この弾性保持膜５０の形状について、図２および図３を参照して説明する。
【００２１】
この弾性保持膜５０は、ゴム等の弾性部材からなり、おむつパッケージ１２を側面側から取囲むように設けられる筒状側壁５１と、この筒状側壁２１の下端部に設けられ、中心部から放射状に延びる複数の切り込み部５３により開口を形成する底面部５２とを有している。
【００２２】
この弾性保持膜５０の筒状側壁５１は、本体１に固定されるシリンダ３の内面部分に固定されることにより、弾性保持膜５０自身が回転することはない。
【００２３】
（作用・効果）
このように、筒状側壁５１と底面部５２とを有する弾性保持膜５０をシリンダ３の内面部分に設けることにより、図１に示すように弾性保持膜５０の内面部の全面がおむつパッケージ１２と接するため、パッケージ１２との接触面積を効果的に拡大させることが可能になる。
【００２４】
また、中心部から放射状に延びる複数の切り込み部５３を設けることにより、おむつパッケージ１２を通過させることが可能になるとともに、おむつパッケージ１２の保持状態においては、切り込み部５３が大きく開いた状態になるが、きり込み部５３がおむつパッケージ１２に食い込む状態となることによりおむつパッケージ１２の保持状態をさらに高めることが可能となる。
【００２５】
なお、本実施の形態においては、おむつパッケージ１２の保持状態をさらに高めるため、内部フランジ２の下方に弾性バネ７を円周上等ピッチで複数個配置しているが、弾性保持膜５０により十分おむつパッケージ１２の保持状態を維持できる場合には、弾性バネ７を設ける必要はない。
【００２６】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【符号の説明】
【００２７】
１  コンテナ、２  内部フランジ、３  シリンダ、４  パック、５  可撓性チューブ、６  回転グリップ、７  弾性バネ、８  上部蓋、９  下部蓋、１０  結び目、１１  ベース領域、１２  おむつパッケージ、１３  収容領域、５０  弾性保持膜、５１  筒状側壁、５２  底面部、５３  切り込み部、１００Ａ  おむつ処理器。
【図１】
0005699173.tif 000002
【図２】
0005699173.tif 000003
【図３】
0005699173.tif 000004
【図４】
0005699173.tif 000005